【手続補正書】
【提出日】平成18年5月16日(2006.5.16)
【手続補正１】
【補正対象書類名】明細書
【補正対象項目名】発明の名称
【補正方法】変更
【補正の内容】
【発明の名称】映像切替装置および映像切替方法
【手続補正２】
【補正対象書類名】明細書
【補正対象項目名】特許請求の範囲
【補正方法】変更
【補正の内容】
【特許請求の範囲】
【請求項１】
複数の映像入力信号を切り替えて表示するための映像切替装置であって、
前記複数の映像入力信号を同じタイミングに制御する入力信号制御部と、
切替制御信号を作成するタイミング制御部と、
前記切替制御信号に従って前記同じタイミングに制御された複数の映像入力信号を切り替える信号切替制御部と、を有することを特徴とする映像切替装置。
【請求項２】
前記請求項１に記載の映像切替装置であって、
前記複数の映像入力信号が徐々に切り替わることを特徴とする映像切替装置。
【請求項３】
前記請求項１に記載の映像切替装置であって、
前記入力信号制御部が前記タイミング制御部からの同期信号を基に前記複数の映像入力信号を同じタイミングに制御することを特徴とする映像切替装置。
【請求項４】
前記請求項３に記載の映像切替装置であって、
前記タイミング制御部が、前記同期信号を作成するタイミング信号作成部を有することを特徴とする映像切替装置。
【請求項５】
前記請求項１に記載の映像切替装置であって、
前記タイミング制御部が切り替えの動作方法を設定する切替動作設定部を有することを特徴とする映像切替装置。
【請求項６】
前記請求項１に記載の映像切替装置であって、
前記タイミング制御部が、切り替え情報を設定する切替処理設定部を有することを特徴とする映像切替装置。
【請求項７】
前記請求項６に記載の映像切替装置であって、
前記切り替え情報がどの映像入力信号へ切り替えるかを示す情報を含むことを特徴とする映像切替装置。
【請求項８】
前記請求項１に記載の映像切替装置であって、
前記タイミング制御部が、前記複数の映像入力信号の切り替えの時間を設定する切替時間設定部を有することを特徴とする映像切替装置。
【請求項９】
前記請求項８に記載の映像切替装置であって、
前記切り替えの時間が、前記複数の映像入力信号の切り替えの開始から終了までの時間であることを特徴とする映像切替装置。
【請求項１０】
前記請求項８に記載の映像切替装置であって、
前記切り替えの時間を任意に設定することができることを特徴とする映像切替装置。
【請求項１１】
前記請求項１に記載の映像切替装置であって、
前記前記切替制御信号が、垂直同期信号に同期していることを特徴とする映像切替装置。
【請求項１２】
前記請求項１に記載の映像切替装置であって、
前記前記切替制御信号が、水平同期信号に同期していることを特徴とする映像切替装置。
【請求項１３】
前記請求項１に記載の映像切替装置であって、
前記複数の映像入力信号が、前記複数の映像入力信号の示す複数の映像の縦方向に沿って切り替わることを特徴とする映像切替装置。
【請求項１４】
前記請求項１に記載の映像切替装置であって、
前記複数の映像入力信号が、前記複数の映像入力信号の示す複数の映像の横方向に沿って切り替わることを特徴とする映像切替装置。
【請求項１５】
前記請求項１に記載の映像切替装置を有するプロジェクタ。
【請求項１６】
複数の映像入力信号を切り替えて表示するための映像切替方法であって、
前記複数の映像入力信号を同じタイミングに制御し、
切替制御信号を作成し、
前記切替制御信号に従って前記同じタイミングに制御された複数の映像入力信号を切り替えることを特徴とする映像切替方法。
【手続補正３】
【補正対象書類名】明細書
【補正対象項目名】００２２
【補正方法】変更
【補正の内容】
【００２２】
【課題を解決するための手段】
本発明の映像切替装置は、複数の映像入力信号を切り替えて表示するための映像切替装置であって、前記複数の映像入力信号を同じタイミングに制御する入力信号制御部と、切替制御信号を作成するタイミング制御部と、前記切替制御信号に従って前記同じタイミングに制御された複数の映像入力信号を切り替える信号切替制御部と、を有することを特徴とする。或いはさらに、本発明の映像切替装置は、前記複数の映像入力信号が徐々に切り替わることを特徴とする。或いはさらに、本発明の映像切替装置は、前記入力信号制御部が前記タイミング制御部からの同期信号を基に前記複数の映像入力信号を同じタイミングに制御することを特徴とする。或いはさらに、本発明の映像切替装置は、前記タイミング制御部が、前記同期信号を作成するタイミング信号作成部を有することを特徴とする。或いはさらに、本発明の映像切替装置は、前記タイミング制御部が切り替えの動作方法を設定する切替動作設定部を有することを特徴とする。或いはさらに、本発明の映像切替装置は、前記タイミング制御部が、切り替え情報を設定する切替処理設定部を有することを特徴とする。或いはさらに、本発明の映像切替装置は、前記切り替え情報がどの映像入力信号へ切り替えるかを示す情報を含むことを特徴とする。或いはさらに、本発明の映像切替装置は、前記タイミング制御部が、前記複数の映像入力信号の切り替えの時間を設定する切替時間設定部を有することを特徴とする。或いはさらに、本発明の映像切替装置は、前記切り替えの時間が、前記複数の映像入力信号の切り替えの開始から終了までの時間であることを特徴とする。或いはさらに、本発明の映像切替装置は、前記切り替えの時間を任意に設定することができることを特徴とする。
【手続補正４】
【補正対象書類名】明細書
【補正対象項目名】００２３
【補正方法】変更
【補正の内容】
【００２３】
或いはさらに、本発明の映像切替装置は、前記前記切替制御信号が、垂直同期信号に同期していることを特徴とする。或いはさらに、本発明の映像切替装置は、前記前記切替制御信号が、水平同期信号に同期していることを特徴とする。或いはさらに、本発明の映像切替装置は、前記複数の映像入力信号が、前記複数の映像入力信号の示す複数の映像の縦方向に沿って切り替わることを特徴とする。或いはさらに、本発明の映像切替装置は、前記複数の映像入力信号が、前記複数の映像入力信号の示す複数の映像の横方向に沿って切り替わることを特徴とする。
【手続補正５】
【補正対象書類名】明細書
【補正対象項目名】００２４
【補正方法】変更
【補正の内容】
【００２４】
或いは、本発明のプロジェクタは、前記請求項１に記載の映像切替装置を有する。或いは、本発明の映像切替方法は、複数の映像入力信号を切り替えて表示するための映像切替方法であって、前記複数の映像入力信号を同じタイミングに制御し、切替制御信号を作成し、前記切替制御信号に従って前記同じタイミングに制御された複数の映像入力信号を切り替えることを特徴とする。
【手続補正６】
【補正対象書類名】明細書
【補正対象項目名】００２７
【補正方法】変更
【補正の内容】
【００２７】
シームレス信号切替制御部６では、タイミング信号制御部５にて作成されたタイミングに基づいて信号切り替えの処理を実施し、出力信号制御部７に信号を出力する。シームレス信号切替制御部６から出力された信号は、出力信号制御部７においてプロジェクタから画像を投射するための信号に制御され、出力信号Ｄ、８となって出力される。
【手続補正７】
【補正対象書類名】明細書
【補正対象項目名】００２９
【補正方法】変更
【補正の内容】
【００２９】
入力信号Ａ１と入力信号Ｂ２は、それぞれ別の系統から同時にプロジェクタに入力されている信号である。シームレス切替動作設定部１１にてシームレス切り替えの動作方法を設定し、切替処理設定部１２で切り替え情報（この例では入力Ａから入力Ｂに切り替え）を指定する。このシームレス切替動作設定部１１と切替処理設定部１２にて設定された情報を基に切り替えのタイミング信号作成部１３で、入力信号制御部３，４にそれぞれ対応するシームレス切替制御信号Ｃ、Ｃ’を作成し、供給する。
【手続補正８】
【補正対象書類名】明細書
【補正対象項目名】００３０
【補正方法】変更
【補正の内容】
【００３０】
入力信号Ａ１は信号Ａタイミング制御部５Ａにて、入力信号Ｂ２は信号Ｂタイミング制御部５Ｂにて適切な信号に制御され、信号切替処理部１５に入力される。
また切替時間設定部１４にて、信号の切り替えの開始から終了までの時間（この例では入力信号Ａから入力信号Ｂに切り替わる時間）を任意に設定することが出来る。
【手続補正９】
【補正対象書類名】明細書
【補正対象項目名】符号の説明
【補正方法】変更
【補正の内容】
【符号の説明】
１，２    入力信号
３，４    入力信号制御部
５，５Ａ，５Ｂ    タイミング制御部
６    シームレス信号切替制御部
７    出力信号制御部
８    出力信号
８Ａ    出力信号
１１    シームレス切替動作設定部
１２    切替処理設定部
１３    タイミング信号作成部
１４    切替時間設定部
１５    信号切替処理部
２１    再生入力信号
２２    入力順序変更部
２３，２４    １，２系メモリ
２５，２６    １，２系デコーダ
２７，２８    １，２系制御部
２９    セレクタ
【手続補正１０】
【補正対象書類名】図面
【補正対象項目名】図２
【補正方法】変更
【補正の内容】
【図２】
2004356737.tif 000001